(57)【特許請求の範囲】
【請求項１】
口及び鼻腔を含む顔面の対象部位を覆う本体部と、この本体部の側端部から延出し前記本体部を前記顔面に係止する係止部と、を有する立体マスクであって、
前記本体部内面の前記鼻腔を覆う部位よりも上方に、斜め下方に突出する突出片が、横方向に沿うように備えられ、
前記本体部が、１層又は２層以上からなる内側シートと１層又は２層以上からなる外側シートとで構成され、
この外側シートは少なくとも上下方向に伸縮性を有し、かつ前記突出片は、前記内側シートのみが山折りされて形成されている、
ことを特徴とする立体マスク。
【請求項２】
口及び鼻腔を含む顔面の対象部位を覆う本体部と、この本体部の側端部を引いて前記本体部を前記顔面に係止する係止部と、を有する立体マスクであって、
前記本体部内面の前記鼻腔を覆う部位よりも上方に、前記係止部による係止によって斜め下方に突出する突出片が、横方向に沿うように備えられ、
前記本体部が、１層又は２層以上からなる内側シートと１層又は２層以上からなる外側シートとで構成され、
この外側シートは少なくとも上下方向に伸縮性を有し、かつ前記突出片は、前記内側シートのみが山折りされて形成されている、
ことを特徴とする立体マスク。
【発明の詳細な説明】
【技術分野】
【０００１】
本発明は、使用者の口及び鼻腔を含む顔面の対象部位を覆う立体マスクに関するものである。
【背景技術】
【０００２】
従来から、使用者の口や鼻腔等を含む顔面の対象部位を覆うマスクは、風邪をひいたときのほか、歯科医や外科医等が施術をするとき、工事や機械加工等の作業をするとき、などのさまざまな場面で使用されている。また、特に、近年では、花粉対策用などとしても使用されるようになっており、その汎用性が、ますます広がる傾向にある。
【０００３】
このようにさまざまな場面で使用されるマスクも、従来は、矩形状のガーゼや不織布等を複数枚重ねて本体部を形成し、この本体部の左右両側端部に耳掛け用のゴム紐を環状に取り付けただけのものが、ほとんどであった（以下、この形態のマスクを、単に「従来の平判マスク」ともいう。）。しかしながら、この従来の平判マスクは、ガーゼ等が使用者の口と接触し、しかもこのガーゼ等は、使用時間が長くなるにしたがって湿ってくるため、口や鼻からの呼吸がしづらくなるという問題があった。
【０００４】
そこで、かかるガーゼ等からなる本体部に、幅方向に沿うプリーツ（ひだ状に折り重ねて形成した襞）を設けた形態の平判マスクが登場した（例えば、特許文献１参照。）。この形態の平判マスクは、使用前は平坦状であるものの、使用時には口元や鼻の膨らみに追従した立体形状となる。しかしながら、この形態の平判マスクも、立体形状を維持し続ける力（形状保持性）が弱いため、直ぐに変形してしまい、呼吸がしづらくなるという問題を完全に解決することはできなかった。
【０００５】
そこで、近年では、製造段階において本体部をカップ状等の立体形状に形成したマスクや、製造段階において本体部を立体裁断したマスクが登場し、立体マスクと呼ばれて人気を集めるようになっている。後者の立体裁断したマスクとしては、例えば、別素材である本体部左側部分と本体部右側部分とを重ね合わせ、これらを一側端部に沿って接合して本体部の幅方向中央部を構成させたものがある（例えば、特許文献２参照。）。この立体マスクは、使用前は平坦状であるものの、使用時において左側部分と右側部分との間を広げると立体形状になり、この左側部分と右側部分との間に口元や鼻をあてがうことができるようになっている。
【０００６】
しかしながら、これらの立体マスクは、形状保持性が高いという点が大きな長所であるものの、それ故に、逆に、使用者の顔面に沿った形状変形もなされないため、鼻先やその上方と本体部との間に隙間ができてしまい、この隙間を通して湿った空気が上昇し、眼鏡等が曇ることもあった。
【特許文献１】特開２００３−２７５３３２号公報
【特許文献２】特開平７−２７５３８４号公報
【発明の開示】
【発明が解決しようとする課題】
【０００７】
本発明が解決しようとする主たる課題は、マスク内から湿った空気が上方に抜けて、眼鏡等が曇るおそれのない立体マスクを提供することにある。
【課題を解決するための手段】
【０００８】
この課題を解決した本発明は、次のとおりである。
〔請求項１記載の発明〕
口及び鼻腔を含む顔面の対象部位を覆う本体部と、この本体部の側端部から延出し前記本体部を前記顔面に係止する係止部と、を有する立体マスクであって、
前記本体部内面の前記鼻腔を覆う部位よりも上方に、斜め下方に突出する突出片が、横方向に沿うように備えられ、
前記本体部が、１層又は２層以上からなる内側シートと１層又は２層以上からなる外側シートとで構成され、
この外側シートは少なくとも上下方向に伸縮性を有し、かつ前記突出片は、前記内側シートのみが山折りされて形成されている、
ことを特徴とする立体マスク。
【０００９】
〔請求項２記載の発明〕
口及び鼻腔を含む顔面の対象部位を覆う本体部と、この本体部の側端部を引いて前記本体部を前記顔面に係止する係止部と、を有する立体マスクであって、
前記本体部内面の前記鼻腔を覆う部位よりも上方に、前記係止部による係止によって斜め下方に突出する突出片が、横方向に沿うように備えられ、
前記本体部が、１層又は２層以上からなる内側シートと１層又は２層以上からなる外側シートとで構成され、
この外側シートは少なくとも上下方向に伸縮性を有し、かつ前記突出片は、前記内側シートのみが山折りされて形成されている、
ことを特徴とする立体マスク。
【００１０】
【発明の効果】
【００１１】
本発明によると、マスク内から湿った空気が上方に抜けて、眼鏡等が曇るおそれのない立体マスクとなる。
【発明を実施するための最良の形態】
【００１２】
次に、本発明の実施の形態を説明する。
〔定義等〕
本明細書において、立体マスクとは、原則として、使用時において本体部が立体形状であるマスクを意味する。したがって、例えば、本体部が製造段階において立体裁断（出来上り品が、立体形状となるように形をとり、裁断すること。）され、たとえ使用前は平坦状であっても使用時には立体形状となるマスクや、本体部が製造段階においてカップ状等に形成されたマスク、つまり使用前から立体形状であるマスク等が、含まれる。
ただし、本体部が使用前は平坦状であるが使用時には立体形状となるマスクであっても、本体部にプリーツが設けられ、本体部の上端と下端とを離間させるように引っ張ると、中間部が外側に膨出すようにプリーツが拡開し、全体として立体形状に変形するマスクは、平判マスクであり、本明細書における立体マスクには含まれない。プリーツが設けられたマスクは、形状保持性が弱く変形し易いゆえに、呼吸のし易さという点では立体マスクに劣るが、逆に、空気が上方に抜けにくく、その性質が単なる（従来の）平判マスクに近い。したがって、本発明の前提（課題）に欠けるため、本明細書では、立体マスクではなく、平判マスクに分類する。なお、当業界においても、プリーツの作用によって立体となるマスクは、通常、平判マスクに分類されている。
【００１３】
〔基本となる構造〕
図１は、本形態の立体マスク１を示している。このマスク１は、口８及び鼻腔７を含む顔面の対象部位を覆う（図３，５，７参照）本体部２と、この本体部２の側端部２ｅ，２ｅから延出し、この側端部２ｅ，２ｅを引くことによって、本体部２を顔面に係止する係止部３と、から主になる。
【００１４】
本体部２は、幅方向中央線に関して対称をなす左側部分２Ｌ及び右側部分２Ｒからなる。そして、この両部分２Ｌ，２Ｒは、平坦な素材からなり、かつ幅方向中央側の縁部４で接合されている。また、この接合部分４は、上下両側よりも中間部が外側に膨出する湾曲状をなしている。
【００１５】
一方、係止部３は、耳に掛けるための開口５を有する環状の平坦部材であり、本体部２の左右両側端部２ｅ，２ｅに接合されている。
【００１６】
本体部２及び係止部３は、左側部分２Ｌと右側部分２Ｒとを重ね合わせた非使用状態では平坦になる。これに対して、本体部２は、左側部分２Ｌと右側部分２Ｒとの間を広げた使用状態（図示状態）では立体形状になる。この状態で使用者の口８及び鼻腔７を含む顔面の対象部位を覆うようにあてがうと、口８や鼻腔７のまわりに空間を残して被覆することができる。
【００１７】
本形態では、本体部２と係止部３とを別の部材として形成し、両者を接合しているが、図２に示すように本体部２と係止部３とを単一の部材として一体的に形成することもできる。
【００１８】
また、接合線（４）が上下方向に沿うように形成する必要はなく、図示はしないが、例えば、幅方向に沿うように形成することもできる。
【００１９】
本体部２は、図１に示すように、一層構造であっても良いが、図２に示すように、１層又は２層以上からなる内側シート２Ｂと、同じく１層又は２層以上からなる外側シート２Ａと、を有する複数層構造である方が、好ましい。この場合、例えば、図２に示すように、外側シート２Ａ（又は内側シート２Ｂ）と係止部３とを単一の部材として一体的に形成し、その本体部２相当部分の内面（又は外面）に、内側シート２Ｂ（又は外側シート２Ａ）を積層することにより、本体部２を複数層構造とすることもできる。
【００２０】
複数層構造にする場合は、そのうちの少なくとも一層が、例えば、塵埃等の濾過機能、芳香機能、ウイルス・アレルゲン不活化機能、抗菌機能、形状保持機能等を有する機能層であるのが好ましい。このような機能層は、本体部２に対して、着脱自在に取り付ける形態も考えることができる。
【００２１】
また、以上のような複数層構造は、係止部３においても採用することができる。
【００２２】
〔特徴となる構造〕
（第１の形態）
図３に、本形態の立体マスク１を、内側（使用者側）から見た場合の平面図を、図４に、そのＩ−Ｉ線断面図を示した。
本形態の立体マスク１は、本体部２内面の鼻腔７を覆う部位よりも上方に、外側シート２Ａ及び内側シート２Ｂが内方に山折りされて形成された、斜め下方に突出する突出片９が、横方向に沿って備えられている、ことを特徴とする。本立体マスク１においては、この突出片９が、マスク２内の湿った空気に対して、弁としての機能を果たし、マスク２内の湿った空気が上昇するのを抑制するため、マスク２内から湿った空気が上方に抜けて、眼鏡等が曇るおそれがなくなる。また、この突出片９は、本体部２が、必要以上に顔面に近づくのを阻止する機能をも有する。
【００２３】
突出片９は、あらかじめ斜め下方に突出していてもよいが、係止部３による係止に際して、本体部２の側端部２ｅ，２ｅが引かれると、斜め下方に突出（起立）する構造の方が、顔面に対する接触をソフトにすることができるという点で、好ましい。この起立構造としては、突出片９の頂部に図示しない糸ゴム等の弾性伸縮部材を伸張状態で固定した、例えば、現在、使い捨て紙おむつにおいて汎用化されるようになっている立体バリヤーカフスや立体ギャザーなどと同様の構造を、採用することができる。
【００２４】
（第２の形態）
図５に、本形態の立体マスク１を、内側（使用者側）から見た場合の平面図を、図６に、そのＩＩ−ＩＩ線断面図を示した。
本形態の立体マスク１は、第１の形態と同様の特徴、すなわち、突出片９が備えられていることに加えて、本体部２内面の口８を覆う部位よりも下方に、外側シート２Ａ及び内側シート２Ｂが内方に山折りされて形成された、斜め上方に突出する突出片１１が、横方向に沿って備えられている、ことを特徴とする。本立体マスク１においては、この突出片１１が、本体部２と使用者の顔面との間の隙間を塞ぐため、かかる隙間から花粉等が進入するおそれがなくなる。また、この突出片１１も、本体部２が、必要以上に顔面に近づくのを阻止する機能を有する。
【００２５】
本突出片１１も、あらかじめ斜め上方に突出していてもよいが、突出片９と同様に、係止部３による係止に際して、本体部２の側端部２ｅ，２ｅが引かれると、斜め上方に突出（起立）する構造の方が、好ましい。また、この起立構造も、突出片９と同様とすることができる。
【００２６】
（第３の形態）
図７に、本形態の立体マスク１を、内側（使用者側）から見た場合の平面図を、図８に、そのＩＩＩ−ＩＩＩ線断面図を示した。
本形態の立体マスク１は、第２の形態と同様の特徴、すなわち、突出片９及び突出片１１が備えられていることに加えて、本体部２内面の鼻腔７を覆う部位と口８を覆う部位との間に、外側シート２Ａ及び内側シート２Ｂが内方に山折りされて形成された、斜め下方に突出する突出片１２が、横方向に沿って備えられている、ことを特徴とする。鼻腔７と口８との間は、呼吸をしやすくするために、最も空間が必要とされる場所であるところ、本体部２のかかる場所を覆う部位は、最も膨出する場所であるため、外部力によって、変形し易い。しかしながら、本立体マスク１においては、突出片１１によって、本体部２の鼻腔７と口８との間を覆う部位が、必要以上に顔面に近づくのを阻止されるため、空間が確実に確保される。また、この空間の確保により、口紅が落ちない、髭などで繊維が擦れて毛羽立つことがない、といった利点もある。
【００２７】
本突出片１２も、あらかじめ斜め下方に突出していてもよいが、突出片９と同様に、係止部３による係止に際して、本体部２の側端部２ｅ，２ｅが引かれると、斜め下方に突出（起立）する構造の方が、好ましい。また、この起立構造も、突出片９と同様とすることができる。
【００２８】
（第４の形態）
本形態の立体マスク１は、図９の（１）に示すように、突出片９が、内側シート２Ｂのみが山折りされて形成されており、しかも外側シート２Ａが少なくとも上下方向に伸縮性を有する素材で形成されている。これにより、図９の（２）に示すように、本体部２が突出片９の存在する箇所において、伸縮するようになり、面長の人にもフィットするマスクとなる。もちろん、この構造は、突出片１１や突出片１２にも採用することができる。
【００２９】
（その他の形態）
以上、第１〜４の形態では、本体部２を構成するシートで、突出片９，１１，１２を形成した。ただし、これに限定する趣旨ではなく、例えば、本体部２を構成するシートとは別のシートを、本体部２に接合し、この別のシートで突出片９，１１，１２を形成することもできる。
【００３０】
また、突出片９，１１，１２を構成する折り返したシート２Ａ，２Ｂは、超音波等により融着して一体化することもできる。
【００３１】
〔各部材を構成する素材〕
（本体部）
本体部２（あるいは各シート２Ａ，２Ｂ、あるいは各シート２Ａ，２Ｂを構成する層）の素材としては、適宜定めることができ、例えば、ＪＩＳ  Ｚ  ０２０８に規定される透気度が３００ｇ／ｍ2・ｈｒ以上の通気性素材を用いることができる。
【００３２】
このような素材としては、多数の透過孔を有する多孔性シート、網材の他、織布、不織布等の短繊維若しくは長繊維集合体、ならびにこれらの積層体を挙げることができる。
【００３３】
繊維集合体を用いる場合、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。
【００３４】
さらに、不織布を用いる場合、どのような加工によって製造されたものであってもよい。加工方法としては、公知の方法、例えば、スパンレース法、スパンボンド法、サーマルボンド法、メルトブローン法、ニードルパンチ法、エアスルー法等を例示することができる。また、花粉や細かな塵埃の遮断性能を高めるために、ＳＭＳ不織布やＳＭＭＳ不織不等のような、極細繊維（直径０．５〜５μｍ程度）からなる層を有する積層型不織布を用いることもできる。
【００３５】
繊維集合体を用いる場合、目付け量は１５〜７０ｇｓｍ、特に２０〜５０ｇｓｍとすることができる。目付け量が１５ｇｓｍ未満であると、強度に問題が生じやすくなる。特に、係止部３で繰り返し装着すると破れが生じる可能性がある。他方、目付け量が７０ｇｓｍを超えると、風合いが損なわれ、使用者が喋りづらくなったり、使用者の肌との擦れが発生したりするおそれがある。
【００３６】
（係止部及び伸縮性を有する外側シート）
係止部３の素材としては、本体部２と同様の素材から選択することもできるが、伸縮性や弾性に富み、肌への刺激が少ない素材を選択するのが好ましい。
【００３７】
係止部３及び伸縮性を有する外側シート２Ａの素材としては、例えば、弾性伸縮性フィルムの表裏両側に不織布を貼り付け、必要に応じて針刺し加工等の伸縮性向上加工を施してなるラミネート不織布や、熱捲縮性の複合繊維からなるウエブを熱処理することによって得られる伸縮性不織布の他、一対の不織布を張り合わせるとともに、不織布間に糸ゴム等の弾性伸縮部材を挟んでなる伸縮性不織布等を好適に用いることができる。もちろん、係止部３については、この他にも、例えば、平ゴム、丸ゴム等のゴムを用いることもできる。さらに、これらの素材と、本体部２で使用しうる素材とを積層等により結合した素材を係止部３のとして用いることもできる。
【００３８】
（その他）
部材相互や層（シート）相互の接合は、ヒートシールやホットメルト接着、超音波溶着等、公知の接合手段により行うことができる。
【産業上の利用可能性】
【００３９】
本発明は、使用者の口及び鼻腔を含む顔面の対象部位を覆う立体マスクとして、適用可能である。
【図面の簡単な説明】
【００４０】
【図１】マスクの斜視図である。
【図２】別の形態のマスクの斜視図である。
【図３】マスクを内側から見た場合の平面図である。
【図４】図３のＩ−Ｉ線断面図である。
【図５】マスクを内側から見た場合の平面図である。
【図６】図５のＩＩ−ＩＩ線断面図である。
【図７】マスクを内側から見た場合の平面図である。
【図８】図７のＩＩＩ−ＩＩＩ線断面図である。
【図９】本体部の伸縮性を説明するための図である。
【符号の説明】
【００４１】
１…立体マスク、２…本体部、２Ａ…外側シート、２Ｂ…内側シート、３…係止部、７…鼻腔、８…口。
【図１】
0004594182.tif 000002
【図２】
0004594182.tif 000003
【図３】
0004594182.tif 000004
【図４】
0004594182.tif 000005
【図５】
0004594182.tif 000006
【図６】
0004594182.tif 000007
【図７】
0004594182.tif 000008
【図８】
0004594182.tif 000009
【図９】
0004594182.tif 000010